(57)【要約】【課題】操作レバーの回動操作によって固定と固定解除をワンタッチで簡単且つ短時間で行うことができるホイルガードを低コストで得ること。【解決手段】回転駆動される先端工具を備えた動力工具の取付軸に着脱可能に取り付けられる部品であって、前記先端工具の周囲を部分的に覆う保護フード２と、該保護フード２に結着された切欠きリング状の締付バンド３を備えたホイルガード１において、前記締付バンド３の両周端に相対向して形成された一対の折り曲げ部３ａ２，３ｂ２にネジピ６ンを螺合挿通せしめ、該ネジピン６の一端に挿通するセットピン９によって操作レバー８の一端を回動可能に枢着し、該操作レバー８を前記セットピン９を中心として回動操作し、その端部に形成されたカム部８ａを前記締付バンド３の折り曲げ部３ｂ２に係合させることによって前記締付バンド３の周長を変化させるよう構成する。【選択図】図２
2009023006.tif 000002
【特許請求の範囲】
【請求項１】
回転駆動される先端工具を備えた動力工具の取付軸に着脱可能に取り付けられる部品であって、前記先端工具の周囲を部分的に覆う保護フードと、該保護フードに結着された切欠きリング状の締付バンドを備えたホイルガードにおいて、
前記締付バンドの両周端に相対向して形成された一対の折り曲げ部にネジピンを螺合挿通せしめ、該ネジピンの一端に挿通するセットピンによって操作レバーの一端を回動可能に枢着し、該操作レバーを前記セットピンを中心として回動操作し、その端部に形成されたカム部を前記締付バンドの折り曲げ部に係合させることによって前記締付バンドの周長を変化させるよう構成したことを特徴とするホイルガード。
【請求項２】
前記締付バンドを半リング状の２つの部材で構成するとともに、両部材の各両端に形成された折り曲げ部の相対向する一方の組にネジを螺合挿通せしめ、他方の組に前記ネジピンを螺合挿通せしめたことを特徴とする請求項１記載のホイルガード。
【請求項３】
前記締付バンドを一部が開いたリング状の部材で構成するとともに、その開いた部分に相対向して形成された一対の折り曲げ部に前記ネジピンを螺合挿通せしめたことを特徴とする請求項１記載のホイルガード。
【請求項４】
前記ネジピンに、前記締付バンドの一方の折り曲げ部と前記操作レバーに係合するガイド部材を移動可能に挿通せしめるとともに、該ガイド部材を前記操作レバー側に付勢する付勢手段を設けたことを特徴とする請求項１〜３の何れかに記載のホイルガード。
【発明の詳細な説明】
【技術分野】
【０００１】
本発明は、回転駆動される先端工具を有するディスクグラインダ等の動力工具に取り付けられるホイルガードに関するものである。
【背景技術】
【０００２】
例えば、ディスクグラインダは、駆動源であるモータによって先端工具を回転駆動して所要の研削等の作業を行うものであるが、安全対策上、先端工具はその一部がホイルガードによって覆われている。ここで、ホイルガードの従来例を図７及び図８に示す。
【０００３】
図７及び図８は従来のホイルガードの平面図であり、図７に示すホイルガード１Ａは、円板状の不図示の先端工具の略半分を覆うコの字状断面を有する平面視半円状の保護フード２と、締付バンド３を備えている。ここで、締付バンド３は、保護フード２に固着又は一体に形成された半リング状部材３Ａとこれとは独立した半リング状部材３Ｂとで構成されており、これらの半リング状部材３Ａ，３Ｂの各両端には折り曲げ部３ａ１，３ａ２と３ｂ１，３ｂ２がそれぞれ形成されている。そして、両半リング状部材３Ａ，３Ｂの相対向する折り曲げ部３ａ１と３ｂ１及び３ａ２，３ｂ２とにはネジ４がそれぞれ挿通しており、これらのネジ４は、一方の半リング状部材３Ａの折り曲げ部３ａ１，３ａ２に溶着されたナット５に螺合している。
【０００４】
而して、以上のように構成されたホイルガード１Ａは、例えばディスクグラインダ本体の取付軸の外周に締付バンド３を通し、ドライバ等の工具によってネジ４を回して締付バンド３を取付軸の外周に締め付けることによって取り付けられる。
【０００５】
又、図８に示すホイルガード１Ｂも平面視半円状の保護フード２とこれに固着された締付バンド３を備えているが、締付バンド３は、一部が開いたリング状部材で構成され、その開いた部分には一対の折り曲げ部３ａ，３ｂが相対向して形成されている。そして、締付バンド３の相対向する折り曲げ部３ａ，３ｂにはネジ６が挿通しており、このネジ６は、一方の折り曲げ部３ａに溶着されたナット５に螺合している。
【０００６】
而して、以上のように構成されたホイルガード１Ｂも、図７に示したホイルガード１Ａと同様に、例えばディスクグラインダ本体の取付軸の外周に締付バンド３を通し、ドライバ等の工具によってネジ４を回して締付バンド３を取付軸の外周に締め付けることによって取り付けられる。
【０００７】
ところで、ディスクグラインダによる研削作業においては、加工対象物の形状や加工箇所等によって先端工具が使用される部分（正確には本体に対する使用位置）を変更する必要があり、そのような場合にはホイルガードの締め付けを緩めて該ホイルガードを本体の取付軸回りに回し、先端工具がホイルガードによって覆われる部分（ホイルガードから露出する部分）を変更する必要がある。
【０００８】
ところが、図７及び図８に示したホイルガード１Ａ，１Ｂにあっては、その位置を変更するために締め付けを緩めるには、ドライバ等の工具を用いてネジ４を回す必要があるため、その作業が面倒で時間が掛かるという問題がある。
【０００９】
そこで、操作レバーの回動操作によってホイルガードの固定と固定解除をワンタッチで行うようにしたものが提案されている。その一例を図９に示す（特許文献１参照）。
【００１０】
図９はレバーワンタッチ式のホイルガード１Ｃの平面図であり、図示のホイルガード１Ｃにおいては、保護フード２に結着されたレバーホルダ１３に操作レバー８の一端がセットピン９によって回動可能に枢着されている。この操作レバー８の基端部にはカム部８ａが形成されており、このカム部８ａは締付バンド３の一方の半リング状部材３Ｂの折り曲げ部３ｂ２に係合しており、半リング状部材３Ｂの他方の折り曲げ部３ｂ１と保護フード２に結着又は一体に形成された他方の半リング状部材３Ａの折り曲げ部３ａにはネジ４が挿通しており、このネジ４は半リング状部材３Ａの折り曲げ部３ａに溶着されたナット５に螺合している。
【００１１】
而して、操作レバー８をセットピン９を中心として図９の矢印ａ方向に実線位置まで回すと、該操作レバー８のカム部８ａが締付バンド３の半リング状部材３Ｂの折り曲げ部３ｂ２を押圧して締付バンド３の周長を縮めるため、該締付バンド３が不図示のディスクグラインダ等の取付軸に締め付けられてホイルガード１Ｃが固定される。そして、作業の内容によってホイルガード１Ｃの周方向位置を変更する必要が生じた場合には、図９の実線位置にある操作レバー８を支点軸９を中心として矢印ｂ方向に鎖線位置まで回すと、該操作レバー８のカム部８ａによる締付バンド３の折り曲げ部３ｂ２への押圧力が解除されるため、締付バンド３の周長が延びて該締付バンド３による締付力が開放され、ホイルガード１Ｃを取付軸回りに自由に回すことができる。このようにしてホイルガード１Ｃの周方向の位置が変更された後、図９の鎖線位置にある操作レバー８をセットピン９を中心として矢印ａ方向に実線位置まで回すと、締付バンド３が再び締め付けられてホイルガード１Ｃが変更後の位置に固定される。このように操作レバー８の回動操作によってホイルガード１Ｃの固定と固定解除をワンタッチで簡単且つ短時間に行うことができる。
【特許文献１】特開平９−１４１５５１号公報
【発明の開示】
【発明が解決しようとする課題】
【００１２】
しかしながら、図９に示したホイルガード１Ｃにおいては、保護フード２に固着されたレバーホルダ１３にセットピン９によって操作レバー８を枢着する構成が採用されているため、図７又は図８に示す既存のホイルガード１Ａ，１Ｂをそのまま流用して図９に示すレバーワンタッチ式のホイルガード１Ｃを構成することができず、コスト的に不利であるという問題があった。
【００１３】
本発明は上記問題に鑑みてなされたもので、操作レバーの回動操作によって固定と固定解除をワンタッチで簡単且つ短時間で行うことができるホイルガードを低コストで得ることを目的とする。
【課題を解決するための手段】
【００１４】
上記目的を達成するため、請求項１記載の発明は、回転駆動される先端工具を備えた動力工具の取付軸に着脱可能に取り付けられる部品であって、前記先端工具の周囲を部分的に覆う保護フードと、該保護フードに結着された切欠きリング状の締付バンドを備えたホイルガードにおいて、前記締付バンドの両周端に相対向して形成された一対の折り曲げ部にネジピンを螺合挿通せしめ、該ネジピンの一端に挿通するセットピンによって操作レバーの一端を回動可能に枢着し、該操作レバーを前記セットピンを中心として回動操作し、その端部に形成されたカム部を前記締付バンドの折り曲げ部に係合させることによって前記締付バンドの周長を変化させるよう構成したことを特徴とする。
【００１５】
請求項２記載の発明は、請求項１記載の発明において、前記締付バンドを半リング状の２つの部材で構成するとともに、両部材の各両端に形成された折り曲げ部の相対向する一方の組にネジを螺合挿通せしめ、他方の組に前記ネジピンを螺合挿通せしめたことを特徴とする。
【００１６】
請求項３記載の発明は、請求項１記載の発明において、前記締付バンドを一部が開いたリング状の部材で構成するとともに、その開いた部分に相対向して形成された一対の折り曲げ部に前記ネジピンを螺合挿通せしめたことを特徴とする。
【００１７】
請求項４記載の発明は、請求項１〜３の何れかに記載の発明において、前記ネジピンに、前記締付バンドの一方の折り曲げ部と前記操作レバーに係合するガイド部材を移動可能に挿通せしめるとともに、該ガイド部材を前記操作レバー側に付勢する付勢手段を設けたことを特徴とする。
【発明の効果】
【００１８】
請求項１〜３記載の発明によれば、締付バンドの両周端に相対向して形成された一対の折り曲げ部にネジピンを螺合挿通せしめ、該ネジピンの一端に挿通するセットピンによって操作レバーの一端を回動可能に枢着する構成を採用したため、ネジピン以外の部品に既存のホイルガードのものをそのまま流用することができ、操作レバーの回動操作によって固定と固定解除をワンタッチで簡単且つ短時間で行うことができるホイルガードを低コストで得ることができる。
【００１９】
請求項４記載の発明によれば、ガイド部材によって操作レバーのネジピン回りの回転をロックすることができる。そして、締付バンドの締付力を調整する際には、操作ガイド部材を付勢手段の付勢力に抗して押し下げ、これと操作レバーとの係合を解除すれば操作レバーによってネジピンを自由に回すことができるため、締付バンドの締付力を任意に調整することができる。
【発明を実施するための最良の形態】
【００２０】
以下に本発明の実施の形態を添付図面に基づいて説明する。
【００２１】
＜実施の形態１＞
図１はディスクグラインダの破断部分側面図、図２は本発明の実施の形態１に係るホイルガードの平面図、図３は図２のＡ−Ａ線断面図である。
【００２２】
図１に示すディスクグラインダ１００は、ハウジング１０１内に駆動源としての不図示のモータを収容しており、ハウジング１０１の先端部には出力軸１０２がベアリング１０３によって回転可能に支持されて垂直に配されている。尚、図示しないが、モータの出力軸であるモータ軸と出力軸１０２とはベベルギヤから成る減速機構によって連結されている。
【００２３】
そして、前記出力軸１０２のハウジング１０１から下方へ突出する下端部には円板状の先端工具１０４がホイルワッシャ１０５とホイルナット１０６によって結着されており、その周囲の一部は本発明に係るホイルガード１によって覆われている。ここで、ホイルガード１は、その締付バンド３がハウジング１０１に一体に形成された円筒状の取付軸１０７の外周に締め付けられることによって固定されている。
【００２４】
次に、本発明に係るホイルガード１の構成の詳細を図２及び図３に基づいて説明する。
【００２５】
本実施の形態に係るホイルガード１は、図７に示した既存のホイルガード１Ａを転用したものであって、図１に示すディスクグラインダ１１０の前記先端工具１０４の略半分を覆うコの字状断面を有する平面視半円状の保護フード２と前記締付バンド３を備えている。ここで、締付バンド３は、保護フード２に固着又は一体に形成された半リング状部材３Ａとこれとは独立した半リング状部材３Ｂとで構成されており、これらの半リング状部材３Ａ，３Ｂの各両端には折り曲げ部３ａ１，３ａ２と３ｂ１，３ｂ２がそれぞれ形成されている。そして、両半リング状部材３Ａ，３Ｂの相対向する一方の１組の折り曲げ部３ａ１，３ｂ１にはネジ４が挿通しており、このネジ４は、一方の半リング状部材３Ａの折り曲げ部３ａ１に溶着されたナット５に螺合している。
【００２６】
又、両半リング状部材３Ａ，３Ｂの相対向する他方の１組の折り曲げ部３ａ２，３ｂ２にはネジピン６が挿通しており、このネジピン６は、一方の半リング状部材３Ａの折り曲げ部３ａ２に溶着されたナット７に螺合している。そして、このネジピン６の一端（図２の上端）は、図３に示すように、操作レバー８の二股状の一端によって両側から挟持され、該操作レバー８の一端は、これとネジピン６に横方から挿通するセットピン９によって回動可能に枢着されている。又、操作レバー８の基端部にはカム部８ａが形成されており、このカム部８ａは締付バンド３の一方の半リング状部材３Ｂの折り曲げ部３ｂ２に係合している。尚、セットピン９の操作レバー８から突出する軸方向端部にはスナップリング１０が嵌着されており（図３参照）、このスナップリング１０によってセットピン９の抜け止めが図られている。
【００２７】
而して、操作レバー８をセットピン９を中心として図２の矢印ａ方向に実線位置まで回すと、該操作レバー８のカム部８ａが締付バンド３の半リング状部材３Ｂの折り曲げ部３ｂ２を押圧して締付バンド３の周長を縮めるため、該締付バンド３が図１に示すディスクグラインダ１００の取付軸１０７に締め付けられてホイルガード１が固定される。そして、作業の内容によってホイルガード１の周方向位置を変更する必要が生じた場合には、図２の実線位置にある操作レバー８をセットピン９を中心として矢印ｂ方向に鎖線位置まで回すと、該操作レバー８のカム部８ａによる締付バンド３の折り曲げ部３ｂ２への押圧力が解除されるため、締付バンド３の周長が伸びて該締付バンド３による締付力が開放され、ホイルガード１を取付軸１０７の回りに自由に回すことができる。このようにしてホイルガード１の周方向の位置が変更された後、図２の鎖線位置にある操作レバー８をセットピン９を中心として矢印ａ方向に実線位置まで回すと、締付バンド３が再び締め付けられてホイルガード１が変更後の位置に固定される。このように操作レバー８の回動操作によってホイルガード１の固定と固定解除をワンタッチで簡単且つ短時間に行うことができる。
【００２８】
以上において、本実施の形態に係るホイルガード１によれば、締付バンド３の両半リング状部材３Ａ，３Ｂの各一端に相対向して形成された一対の折り曲げ部３ａ２，３ｂ２にネジピン６を螺合挿通せしめ、該ネジピン６の一端に挿通する支点軸９によって操作レバー８の一端を回動可能に枢着する構成を採用したため、ネジピン６以外の部品に図７に示した既存のホイルガード１Ａの構成部品をそのまま流用することができ、図７に示した既存のホイルガード１Ａを転用して操作レバー８の回動操作によって固定と固定解除をワンタッチで簡単且つ短時間で行うことができる図９に示したホイルガード１Ｃと同様の機能を有するホイルガード１を低コストで得ることができる。
【００２９】
＜実施の形態２＞
次に、本発明の実施の形態２を図４〜図６に基づいて説明する。
【００３０】
図４は本発明の実施の形態２に係るホイルガードの平面図、図５は図４のＢ−Ｂ線断面図、図６はガイド部材の斜視図である。
【００３１】
本実施の形態に係るホイルガード１は、図８に示した既存のホイルガード１Ｂを転用したものであって、平面視半円状の保護フード２とこれに固着された締付バンド３を備えているが、締付バンド３は、一部が開いたリング状部材で構成され、その開いた部分には一対の折り曲げ部３ａ，３ｂが相対向して形成されている。そして、締付部材３の相対向する折り曲げ部３ａ，３ｂにはネジピン６が挿通しており、このネジピン６は、一方の折り曲げ部３ａに溶着されたナット７に螺合している。
【００３２】
そして、上記ネジピン６の一端（図４及び図５の上端）は、図５に示すように、操作レバー８の二股状の一端によって両側から挟持され、該操作レバー８の一端は、これとネジピン６に横方から挿通するセットピン９によって回動可能に枢着されている。又、操作レバー８の基端部にはカム部８ａが形成されており、このカム部８ａは締付バンド３の一方の折り曲げ部３ｂに係合している。尚、セットピン９の操作レバー８から突出する軸方向端部にはスナップリング１０が嵌着されており（図５参照）、このスナップリング１０によってセットピン９の抜け止めが図られている。
【００３３】
又、締付バンド３の両折り曲げ部３ａ，３ｂに挿通するネジピン６の両折り曲げ部３ａ，３ｂによって挟まれた部位には、図６に示すようなチャンネル状のガイド部材１１が移動可能に挿通しており、このガイド部材１１は締付バンド３の一方の折り曲げ部３ｂと操作レバー８が係合している。そして、ガイド部材１１は、これと締付バンド３の他方の折り曲げ部３ａとの間に縮装されたスプリング１２によって操作レバー８側（図４及び図５の上方）に常時付勢されている。尚、図６に示すように、ガイド部材１１の底壁中央にはネジピン６が挿通するための円孔１１ａが形成され、左右の側壁にはセットピン９との干渉を避けるための半円状の切欠き１１ｂが形成されている。
【００３４】
而して、本実施の形態に係るホイルカバー１においても、操作レバー８をセットピン９を中心として図４の矢印ａ方向に実線位置まで回すと、該操作レバー８のカム部８ａが締付バンド３の折り曲げ部３ｂを押圧して締付バンド３の周長を縮めるため、該締付バンド３が図１に示すディスクグラインダ１００の取付軸１０７に締め付けられてホイルガード１が固定される。そして、作業の内容によってホイルガード１の周方向位置を変更する必要が生じた場合には、図４の実線位置にある操作レバー８をセットピン９を中心として矢印ｂ方向に鎖線位置まで回すと、該操作レバー８のカム部８ａによる締付バンド３の折り曲げ部３ｂへの押圧力が解除されるため、締付バンド３の周長が伸びて該締付バンド３による締付力が開放され、ホイルガード１を取付軸１０７の回りに自由に回すことができる。このようにしてホイルガード１の周方向の位置が変更された後、図４の鎖線位置にある操作レバー８をセットピン９を中心として矢印ａ方向に実線位置まで回すと、締付バンド３が再び締め付けられてホイルガード１が変更後の位置に固定される。このように操作レバー８の回動操作によってホイルガード１の固定と固定解除をワンタッチで簡単且つ短時間に行うことができる。
【００３５】
又、本実施の形態においては、スプリング１２によって付勢されて締付バンド３の折り曲げ部３ｂと操作レバー８に係合するガイド部材１１を設けたため、このガイド部材１１によって操作レバー８のネジピン６回り、即ち図４の矢印ａ，ｂ方向以外の回転がロックされる。そして、締付バンド２の締付力を調整する際には、ガイド部材１１をスプリング１２の付勢力に抗して押し下げ、該ガイド部材１１と操作レバー８との係合を解除すれば操作レバー８によってネジピン６を自由に回すことができるため、締付バンド３の締付力を任意に調整することができる。尚、ガイド部材１１とこれを付勢するスプリング１２を前記実施の形態１に係るホイルガード１に設けても良い。
【００３６】
以上において、本実施の形態に係るホイルガード１によれば、締付バンド３の開いた部分に相対向して形成された一対の折り曲げ部３ａ，３ｂにネジピン６を螺合挿通せしめ、該ネジピン６の一端に挿通するセットピン９によって操作レバー８の一端を回動可能に枢着する構成を採用したため、ネジピン６以外の部品に図８に示した既存のホイルガード１Ｂの構成部品をそのまま流用することができ、図８に示した既存のホイルガード１Ｂを転用して操作レバー８の回動操作によって固定と固定解除をワンタッチで簡単且つ短時間で行うことができる図９に示したホイルガード１Ｃと同様の機能を有するホイルガード１を低コストで得ることができる。
【００３７】
尚、以上は本発明を特にディスクグラインダに取り付けられるホイルガードに対して適用した形態について説明したが、本発明は、ディスクグラインダ以外の任意の動力工具に取り付けられるホイルガードに対しても同様に適用可能であることは勿論である。
【図面の簡単な説明】
【００３８】
【図１】ディスクグラインダの破断部分側面図である。
【図２】本発明の実施の形態１に係るホイルガードの平面図である。
【図３】図２のＡ−Ａ線断面図である。
【図４】本発明の実施の形態２に係るホイルガードの平面図である。
【図５】図４のＢ−Ｂ線断面図である。
【図６】本発明の実施の形態２に係るホイルガードのガイド部材の斜視図である。
【図７】従来のホイルガードの平面図である。
【図８】従来のホイルガードの平面図である。
【図９】従来のホイルガードの平面図である。
【符号の説明】
【００３９】
１              ホイルガード
２              保護フード
３              締付ベルト
３Ａ，３Ｂ      締付ベルトの半リング状部材
３ａ，３ｂ      締付ベルトの折り曲げ部
３ａ１，３ａ２  締付ベルトの折り曲げ部
３ｂ１，３ｂ２  締付ベルトの折り曲げ部
４              ネジ
５              ナット
６              ネジピン
７              ナット
８              操作レバー
８ａ            操作レバーのカム部
９              セットピン
１０            スナップリング
１１            ガイド部材
１１ａ          ガイド部材の円孔
１１ｂ          ガイド部材の切欠き
１２            スプリング（付勢手段）
１００          ディスクグラインダ（動力工具）
１０１          ハウジング
１０２          出力軸
１０３          ベアリング
１０４          先端工具
１０５          ホイルワッシャ
１０６          ホイルナット
１０７          取付軸
【図１】
2009023006.tif 000003
【図２】
2009023006.tif 000004
【図３】
2009023006.tif 000005
【図４】
2009023006.tif 000006
【図５】
2009023006.tif 000007
【図６】
2009023006.tif 000008
【図７】
2009023006.tif 000009
【図８】
2009023006.tif 000010
【図９】
2009023006.tif 000011